(57)【特許請求の範囲】
【請求項１】
放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを設け、この腐食抑制用ラインは、前記洗浄液循環系と隔離弁を介して並列に設けられこの隔離弁の閉操作により隔離することが可能な前記洗浄液循環系の洗浄液循環配管に接続された炭素鋼または低合金鋼を含むラインとして構成され、かつ、これらの炭素鋼または低合金鋼を前記洗浄液に接触可能とし、通常運転においては洗浄液が流通しない状態に隔離され、かつ前記洗浄対象物の母材浸食に至る場合には前記隔離弁が開動作して洗浄液を通液させることを特徴とする化学洗浄装置。
【請求項２】
放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを設け、この腐食抑制用ラインは、前記洗浄液循環系の洗浄液循環配管に隔離弁を介して並列接続された１系統または複数系統の炭素鋼配管または低合金鋼配管を含むラインとして構成され、この腐食抑制用ラインと前記洗浄液循環配管とは選択的に前記洗浄液を連通可能とし、通常運転においては洗浄液を前記洗浄液循環配管に通液させ、かつ前記洗浄対象物の母材浸食に至る場合には前記隔離弁が開動作して洗浄液を前記腐食抑制用ラインに通液させたものであることを特徴とする化学洗浄装置。
【請求項３】
放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部にこの洗浄液循環系と隔離弁を介して並列に設けられこの隔離弁の閉操作により隔離することが可能な前記洗浄対象物の母材金属腐食を抑制する腐食抑制用ラインを設け、この腐食抑制用ラインは、前記洗浄液循環系の洗浄液循環配管にステンレス鋼製の配管またはタンクを接続し、その内部に炭素鋼もしくは低合金鋼製の板材、管材またはブロック材を収容し、これらの板材、管材またはブロック材を前記洗浄液に接触可能としたものであり、通常運転においては洗浄液を前記洗浄液循環配管に通液させ、かつ前記洗浄対象物の母材浸食に至る場合には前記隔離弁が開動作して洗浄液を前記腐食抑制用ラインに通液させることを特徴とする化学洗浄装置。
【請求項４】
放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを隔離弁を介して設け、この腐食抑制用ラインは、前記洗浄液循環系の洗浄液循環配管にＦｅ（ＩＩ）酸化物もしくはＦｅ（ＩＩ）Ｆｅ（ＩＩＩ）酸化物が溶解した液を注入する酸化物溶解液注入ラインであり、通常運転においては洗浄液を前記洗浄液循環配管に通液させ、かつ前記洗浄対象物の母材浸食に至る場合には前記隔離弁が開動作して洗浄液循環配管にＦｅ（ＩＩ）酸化物もしくはＦｅ（ＩＩ）Ｆｅ（ＩＩＩ）酸化物が溶解した液を注入することを特徴とする化学洗浄装置。
【請求項５】
請求項４記載の化学洗浄装置において、酸化物溶解液注入ラインに、撹拌機およびヒータの少なくともいずれか一方を設置したことを特徴とする化学洗浄装置。
【請求項６】
放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを設け、この腐食抑制用ラインは、前記洗浄液循環系と隔離弁を介して並列に設けられこの隔離弁の閉操作により隔離することが可能なバイパス管内にＦｅ（ＩＩ）酸化物もしくはＦｅ（ＩＩ）Ｆｅ（ＩＩＩ）酸化物を付着させたフィルタを設置し、このフィルタに前記洗浄液を通過可能としたものであり、通常運転においては洗浄液が流通しない状態に隔離され、かつ前記洗浄対象物の母材浸食に至る場合には前記隔離弁が開動作して洗浄液を通液させることを特徴とする化学洗浄装置。
【請求項７】
放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを設け、この腐食抑制用ラインは、前記洗浄液循環系と隔離弁を介して並列に設けられこの隔離弁の閉操作により隔離することが可能なバイパス配管内に電界槽を接続し、この電界槽の陽極または陰極に炭素鋼または低合金鋼を適用して、これら陽極または陰極を前記洗浄液に接触可能とし、通常運転においては洗浄液が流通しない状態に隔離され、かつ前記洗浄対象物の母材浸食に至る場合には前記隔離弁が開動作して洗浄液を通液させたものであることを特徴とする化学洗浄装置。
【発明の詳細な説明】
【０００１】
【発明の属する技術分野】
本発明は、例えば原子力発電プラント等に設置された配管、機器その他の構造部品に付着した放射性物質を含む金属酸化物を化学的に溶解し、その構造部品の表面から除去するための化学洗浄装置に関するものである。
【０００２】
【従来の技術】
原子力発電プラント等の放射線取扱い施設においては、放射性物質を含む流体と接触する配管、機器その他の構造部品の内面に、運転に伴って放射性核種を含む酸化皮膜が付着または生成する。そのため、配管や機器等の周囲においては放射線量が高まり、定期点検作業時あるいは原子炉廃止措置時の解体作業おいて作業員の被ばく防止の点から作業性低下の原因となっている。
【０００３】
このような酸化皮膜を除去するには、酸化皮膜あるいは金属母材を溶解し、酸化皮膜を溶液中に溶解あるいは剥離させる方法などが用いられており、特に化学的に酸化皮膜を溶解、除去する化学洗浄方法は、一部実機において実施され、放射性物質低減に大きな効果を上げている。
【０００４】
例えば原子力発電所では、原子炉水中の放射能が機器や配管の表面の酸化皮膜中に取り込まれて被ばく線源になるため、保守、点検、補修期間の前にこの放射能を除去する方策が採られている。
【０００５】
【発明が解決しようとする課題】
従来の化学洗浄の手法としては積極的に放射能を含んだ酸化皮膜を除去していくため、金属母材の腐食抑制剤として作用させる鉄イオンまで過剰に除去した場合、容易に鉄濃度コントロールを実施することが困難であった。
【０００６】
しかしながら、化学洗浄中に金属母材の腐食抑制材として作用させる鉄を除去することにより、鉄濃度コントロールを実施することが困難となり、金属母材の腐食を加速してしまう。
【０００７】
そこで、本発明は化学洗浄中に不足した鉄イオンを容易に添加できる化学洗浄装置を提供することを目的とする。
【０００８】
【課題を解決するための手段】
前記の目的を達成するために、請求項１に係る発明では、放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを設け、この腐食抑制用ラインは、前記洗浄液循環系と隔離弁を介して並列に設けられこの隔離弁の閉操作により隔離することが可能な前記洗浄液循環系の洗浄液循環配管に接続された炭素鋼または低合金鋼を含むラインとして構成され、かつ、これらの炭素鋼または低合金鋼を前記洗浄液に接触可能とし、通常運転においては洗浄液が流通しない状態に隔離され、かつ前記洗浄対象物の母材浸食に至る場合には前記隔離弁が開動作して洗浄液を通液させることを特徴とする化学洗浄装置を提供する。
【０００９】
即ち、本発明では、洗浄機器を構成する系統の一部に、化学洗浄中に母材金属を溶解させる目的において、洗浄装置機器以外に、弁操作等により隔離することが可能な炭素鋼または低合金鋼を含むラインを構成する。
【００１０】
炭素鋼または低合金鋼を含むラインを構成し、洗浄中に本ラインに化学薬品を通水することにより、炭素鋼または低合金鋼の金属母材が腐食溶解し、母材金属が洗浄系統に溶出する。炭素鋼や低合金鋼からの母材溶出の主なイオンはＦｅ２＋イオンであるため、洗浄中に紫外線照射を実施することなく、下記の化学式に示すように、Ｆｅ２＋イオンやＦｅ２＋錯イオン濃度を高めることができる。Ｆｅ２＋錯イオン濃度が高い場合には、カチオン交換樹脂を通水することにより、濃度を下げることができる。
【００１１】
【化１】
0004309596.tif 000002
【００１２】
［Ｒ−Ｈ：カチオン樹脂］
一方、Ｆｅ３＋イオンは酸化皮膜の溶解により自然と濃度があがる。Ｆｅ３＋錯イオンの溶解度は高いため、酸化皮膜が溶解するまで濃度を高く保持しても沈殿することはない。万一、Ｆｅ３＋イオンが不足した場合には、下記の化学式のように、低濃度の過酸化水素の注入により、容易にＦｅ２＋イオンをＦｅ３＋イオンに酸化させることができる。
【００１３】
【化２】
0004309596.tif 000003
【００１４】
化学洗浄中の電位コントロールを行う場合にも、Ｆｅ３＋イオンが存在し、Ｆｅ２＋イオン濃度をコントロールすることで、目標電位を保持することができる。
【００１５】
請求項２に係る発明では、放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを設け、この腐食抑制用ラインは、前記洗浄液循環系の洗浄液循環配管に隔離弁を介して並列接続された１系統または複数系統の炭素鋼配管または低合金鋼配管を含むラインとして構成され、この腐食抑制用ラインと前記洗浄液循環配管とは選択的に前記洗浄液を連通可能とし、通常運転においては洗浄液を前記洗浄液循環配管に通液させ、かつ前記洗浄対象物の母材浸食に至る場合には前記隔離弁が開動作して洗浄液を前記腐食抑制用ラインに通液させたものであることを特徴とする化学洗浄装置を提供する。
【００１６】
即ち、本発明では、洗浄機器を構成する系統の一部に、洗浄装置機器以外に、炭素鋼の配管を洗浄液の主循環系と並列に設置し、仮設弁等により通水切替が可能なラインを構成する。
【００１７】
金属母材の溶解目的に設置する炭素鋼または低合金鋼の仮設ラインを隔離可能な系統構成にすることにより、化学洗浄中の目標Ｆｅ２＋イオン濃度が保持できる場合に、過剰な鉄の溶出、即ち二次廃棄物を低減させることができる。
【００１８】
また、本発明では、洗浄機器を構成する系統の一部に、洗浄装置機器以外に、炭素鋼の配管を洗浄液の主循環系と並列に複数系統設置し、それぞれの系統が仮設弁により通水切替が可能なラインを構成する。
【００１９】
金属母材の溶解目的に設置する炭素鋼または低合金鋼の仮設ラインを複数系統設置し、それぞれの系統を隔離可能にすることにより、化学洗浄中のＦｅ２＋イオン濃度状況により、不足分のＦｅ２＋イオンを補充するために要する時間を、炭素鋼または低合金鋼のラインの通水本数により、調整することができる。
【００２０】
請求項３に係る発明では、放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部にこの洗浄液循環系と隔離弁を介して並列に設けられこの隔離弁の閉操作により隔離することが可能な前記洗浄対象物の母材金属腐食を抑制する腐食抑制用ラインを設け、この腐食抑制用ラインは、前記洗浄液循環系の洗浄液循環配管にステンレス鋼製の配管またはタンクを接続し、その内部に炭素鋼もしくは低合金鋼製の板材、管材またはブロック材を収容し、これらの板材、管材またはブロック材を前記洗浄液に接触可能としたものであり、通常運転においては洗浄液を前記洗浄液循環配管に通液させ、かつ前記洗浄対象物の母材浸食に至る場合には前記隔離弁が開動作して洗浄液を前記腐食抑制用ラインに通液させることを特徴とする化学洗浄装置を提供する。
【００２１】
即ち、本発明では、洗浄機器を構成する系統の一部に、洗浄装置機器以外に、炭素鋼を含むラインを構成するために、ステンレス鋼の配管またはタンクの中に炭素鋼や低合金鋼の板や配管やブロック等を設置する。
【００２２】
ラインのステンレス鋼の配管またはタンクの中に、母材溶出を目的に設置する炭素鋼や低合金鋼として、板、配管、ブロックの形状が不揃いな品や廃材等を設置することにより、炭素鋼材の補給が容易になる。
【００２３】
請求項４に係る発明では、放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを隔離弁を介して設け、この腐食抑制用ラインは、前記洗浄液循環系の洗浄液循環配管にＦｅ（ＩＩ）酸化物もしくはＦｅ（ＩＩ）Ｆｅ（ＩＩＩ）酸化物が溶解した液を注入する酸化物溶解液注入ラインであり、通常運転においては洗浄液を前記洗浄液循環配管に通液させ、かつ前記洗浄対象物の母材浸食に至る場合には前記隔離弁が開動作して洗浄液循環配管にＦｅ（ＩＩ）酸化物もしくはＦｅ（ＩＩ）Ｆｅ（ＩＩＩ）酸化物が溶解した液を注入することを特徴とする化学洗浄装置を提供する。
【００２４】
即ち、本発明では、洗浄機器を構成する系統の一部に、Ｆｅ（ＩＩ）酸化物もしくはＦｅ（ＩＩ）Ｆｅ（ＩＩＩ）酸化物を溶解した液を注入するラインを構成する。
【００２５】
鉄酸化物を溶解した液を注入するラインを構成することにより、化学洗浄実施中に必要最低限の鉄のみを容易に注入することが可能となる。
【００２６】
請求項５に係る発明では、請求項４記載の化学洗浄装置において、酸化物溶解液注入ラインに、撹拌機およびヒータの少なくともいずれか一方を設置したことを特徴とする化学洗浄装置を提供する。
【００２７】
即ち、本発明では、洗浄機器を構成する系統の一部に、Ｆｅ（ＩＩ）酸化物もしくはＦｅ（ＩＩ）Ｆｅ（ＩＩＩ）酸化物を溶解した液を注入するために鉄酸化物の撹拌機、ヒータ等を設置する。
【００２８】
鉄酸化物を溶解するためには、化学洗浄剤に鉄酸化物を注入後、溶解度を大きくする為に昇温、撹拌することで、作業効率を向上させることが可能となる。
【００２９】
請求項６に係る発明では、放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記戦場駅循環系の一部に前記洗浄対象物の母材金属腐食を抑制する腐食抑制用ラインを設け、この腐食抑制用ラインは、前記洗浄液循環系と隔離弁を介して並列に設けられこの隔離弁の閉操作により隔離することが可能なバイパス管内にＦｅ（ＩＩ）酸化物もしくはＦｅ（ＩＩ）Ｆｅ（ＩＩＩ）酸化物を付着させたフィルタを設置し、このフィルタに前記洗浄液を通過可能としたものであり、通常運転においては洗浄液が流通しない状態に隔離され、かつ前記洗浄対象物の母材浸食に至る場合には前記隔離弁が開動作して洗浄液を通液させることを特徴とする化学洗浄装置を提供する。
【００３０】
即ち、本発明では、洗浄機器を構成する系統の一部に、Ｆｅ（ＩＩ）酸化物もしくはＦｅ（ＩＩ）Ｆｅ（ＩＩＩ）酸化物を付着させたフィルタを設置する。
【００３１】
洗浄中の鉄イオン不足を補う方法として、バイパスラインに化学洗浄前に酸化鉄を付着させたフィルタを設置することにより、化学洗浄中に鉄イオン濃度不足が生じた際に、化学洗浄液をフィルタに通水することにより、補足されていた酸化鉄が溶出し、鉄イオンを化学洗浄液に補充することが可能となる。
【００３２】
請求項７に係る発明では、放射線取扱施設にて使用される配管、機器を洗浄対象物とし、この洗浄対象物に洗浄液循環系を接続して化学薬品を含む洗浄液を循環させることにより、前記洗浄対象物表面の酸化皮膜を化学的に洗浄する化学洗浄装置において、前記洗浄液循環系の一部に前記洗浄対象物の母材金属腐食を抑制する腐食抑制用ラインを設け、この腐食抑制用ラインは、前記洗浄液循環系と隔離弁を介して並列に設けられこの隔離弁の閉操作により隔離することが可能なバイパス配管内に電界槽を接続し、この電界槽の陽極または陰極に炭素鋼または低合金鋼を適用して、これら陽極または陰極を前記洗浄液に接触可能とし、通常運転においては洗浄液が流通しない状態に隔離され、かつ前記洗浄対象物の母材浸食に至る場合には前記隔離弁が開動作して洗浄液を通液させたものであることを特徴とする化学洗浄装置を提供する。
【００３３】
即ち、本発明では、バイパスラインに炭素鋼または低合金鋼を陽極に接続した電解槽を設置する。
【００３４】
洗浄中に炭素鋼を電極に使用した電解槽を設置することにより、炭素鋼からのＦｅ２＋イオンの溶出を促進させることができ、鉄イオンを化学洗浄液に補充することが可能となる。
【００３５】
また、本発明では、バイパスラインに炭素鋼または低合金鋼を陰極に接続した電解槽を設置する。
【００３６】
洗浄中に炭素鋼を電極に使用した電解槽を設置することにより、陰極と陽極を交換することにより、化学洗浄液中に過剰に溶解した鉄イオンを補足し、イオン交換樹脂の負荷を軽減することが可能となる。
【００３７】
以上の本発明において、炭素鋼または低合金鋼として適用できる材料を例示すると、下記の通りである。（ａ）配管用炭素鋼管…ＪＩＳ−Ｇ３４５２（ＳＧＰ）、ＪＩＳ−Ｇ３４５４（ＳＴＰＧ）、ＪＩＳ−Ｇ３４５５（ＳＴＳ）、ＪＩＳ−Ｇ３４５７（ＳＴＰＹ）、ＪＩＳ−Ｇ３４６０（ＳＴＰＬ）、（ｂ）構造用炭素鋼管…ＪＩＳ−Ｇ３４４４（ＳＴＫ）、ＪＩＳ−Ｇ３４４５（ＳＴＫＭ）、（ｃ）機械構造用炭素鋼、合金鋼…ＪＩＳ−Ｇ４０５１（ＳＫ）、ＪＩＳ−Ｇ４０５２（ＳＭｎ−Ｈ、ＳＭｎＣ−Ｈ、ＳＣｒ−Ｈ、ＳＣＭ−Ｈ、ＳＮＣ−Ｈ、ＳＮＣＭ−Ｈ）、（ｄ）工具鋼…ＪＩＳ−Ｇ４４０１（ＳＫ）、（ｅ）鋳鍛造品…ＪＩＳ−Ｇ３２０１（ＳＦ）、ＪＩＳ−Ｇ３２０２（ＳＦＶＣ）、ＪＩＳ−Ｇ３２０３（ＳＦＶＡ）、ＪＩＳ−Ｇ３２０４（ＳＦＶＱ）、ＪＩＳ−Ｇ３２０５（ＳＦＬ），ＪＩＳ−Ｇ３２５１（ＳＦＢ）、ＪＩＳ−Ｇ５１０１（ＳＣ）、ＪＩＳ−Ｇ５１０２（ＳＣＷ）、ＪＩＳ−Ｇ５１１１（ＳＣＣ等）、ＪＩＳ−Ｇ５１５１（ＳＣＰＨ）、ＪＩＳ−Ｇ５１５２（ＳＣＰＬ）。
【００３８】
【発明の実施の形態】
以下、本発明に係る化学洗浄装置の実施形態について、図面を参照して具体的に説明する。なお、以下の各実施形態は原子力発電プラントの配管、機器等の構造物を洗浄対象物とし、定期検査の際に同プラントに仮設して実施するものである。
【００３９】
第１実施形態（図１）
図１は本発明の第１実施形態を示す系統構成図である。
【００４０】
この図１に示すように、本実施形態の化学洗浄装置においては、ステンレス鋼等の鉄系金属からなる洗浄対象物１を収納する化学洗浄タンク２が設けられている。この化学洗浄タンク２に洗浄液３を循環する洗浄液循環系４が形成され、この洗浄液循環系４は、化学洗浄タンク２に閉ループ状に接続された洗浄液循環配管５を有し、この洗浄液循環配管５は化学洗浄タンク２の底部から洗浄液を吸引し、化学洗浄タンク２の底部付近に洗浄液を供給するようになっている。洗浄液循環配管５には、洗浄液３の流れ方向に沿って順次に、循環ポンプ６、ヒータ７、イオン交換樹脂塔８、オゾン発生器９のミキサ１０、過酸化水素注入装置１１、化学薬品（シュウ酸）注入装置１２等が設けられ、これにより化学薬品を含む洗浄液３が化学洗浄タンク２に循環するようになっている。化学洗浄タンク２には、溶存オゾン濃度計１３が設けられている。なお、化学洗浄タンク２には排気系１４が設けられている。この排気系１４の排気管１５には、上流側から順に、エアフィンクーラ１６、フィルタ１７、オゾン分解塔１８、排気用ファン装置１９、気相オゾン濃度計２０等が設けられている。
【００４１】
このような構成のもとで、洗浄液循環配管５の一部に、洗浄対象物１の母材金属腐食を抑制する腐食抑制用ライン２１が設けられている。この腐食抑制用ライン２１は、洗浄液循環配管５の例えば下流側位置に分岐管２２を介して並列な配管を設け、この並列な配管を炭素鋼または低合金鋼からなる補助配管２３として構成したものである。そして、補助配管２３の両端部に位置して、分岐管２２に１対の隔離弁２４が設けられ、これらの隔離弁２４を開として補助配管２３内に洗浄液３を流動させることにより、補助配管２３を構成する炭素鋼または低合金鋼を洗浄液２に接触可能としてある。即ち、洗浄機器を構成する系統の一部に、化学洗浄中に洗浄対象物１の母材金属を溶解させる目的において、洗浄装置機器以外に、隔離弁２４の閉操作により隔離することが可能な炭素鋼または低合金鋼を含む腐食抑制用ライン２１を構成している。
【００４２】
次に作用を説明する。
【００４３】
本実施形態の装置においては、通常は上述した腐食抑制ライン２１の隔離弁２４を閉状態として運転する。即ち、通常運転においては、炭素鋼または低合金鋼製の補助配管２３に洗浄液３が流通しない状態とする。
【００４４】
この状態で化学洗浄対象物１を化学洗浄タンク２に設置し、洗浄液３を仮設の洗浄液循環系４に沿って循環させ、化学洗浄タンク２に戻す。洗浄液３については、ヒータ７で温度コントロールを実施し、イオン交換樹脂塔８にて過剰の鉄分を除去する。洗浄液３としてオゾン水を使用する場合には、オゾン発生器９からオゾン注入装置の一つであるミキサ１０を通して洗浄液循環配管５にオゾンを注入し、洗浄タンク１の中の濃度を溶存オゾン濃度計１３にて確認する。
【００４５】
また、還元剤の洗浄液としてシュウ酸を使用する場合には、化学薬品注入装置１１にてシュウ酸を溶解し、洗浄液循環配管５に注入する。このように、例えばオゾンを含有した洗浄液２により、洗浄対象物１の表面に付着した放射性物質を含む酸化皮膜中の酸化物の溶解が行われるとともに、溶出金属の分離およびシュウ酸の分解が平行して行われることにより、化学洗浄が実施される。
【００４６】
排気系１４においては、化学洗浄タンク２の気相部からエアフィンクーラ１６、フィルタ１７、オゾン分解塔１８、排気用ファン装置１９を通して本設の排気系統へ廃棄がなされる。また、最終排気ラインにオゾンの残留が無いことが、気相オゾン濃度計２０によって確認される。
【００４７】
このような一連の洗浄操作において、イオン交換樹脂塔８にて洗浄液３から過剰の鉄を除去する事態が起こり得る。このような事態が継続すると、洗浄対象物１の母材浸食に至る可能性がある。そこで、かかる場合には、洗浄液配管５に接続した分岐管２２の隔離弁２４を開け、炭素鋼または低合金鋼製の補助配管２３に洗浄液を通液する。これにより、ステンレス鋼よりも耐食性に劣る炭素鋼や低合金鋼製の補助配管２３の母材金属からＦｅ２＋イオンの溶解が促進される。
【００４８】
これにより、洗浄配管５を経て化学洗浄タンク２に流入する洗浄液３中の必要最低限のＦｅ２＋イオンが保持できるようになり、化学洗浄タンク２内にて洗浄される洗浄対象物１の母材からのＦｅ２＋イオンの溶出が抑制される。また、Ｆｅ３＋イオンはＦｅ２＋イオンを生成させ、その後過酸化水素注入装置１１より過酸化水素を添加し、Ｆｅ２＋イオンを過酸化水素の酸化力によりＦｅ３＋イオンに酸化することができる。
【００４９】
一方、Ｆｅ３＋イオンは酸化皮膜の溶解により自然と濃度があがる。Ｆｅ３＋錯イオンの溶解度は高いため、酸化皮膜が溶解するまで濃度を高く保持しても沈殿することはない。万一、Ｆｅ３＋イオンが不足した場合には、低濃度の過酸化水素の注入により、容易にＦｅ２＋イオンをＦｅ３＋イオンに酸化させることができる。化学洗浄中の電位コントロールを行う場合にも、Ｆｅ３＋イオンが存在し、Ｆｅ２＋イオン濃度をコントロールすることで、目標電位を保持することができる。
【００５０】
以上の構成を有する本実施形態によれば、洗浄液循環配管５に炭素鋼または低合金鋼製の補助配管２３を設置することにより、化学洗浄中の鉄濃度を紫外線照射をすることなく、Ｆｅ３＋イオン濃度とＦｅ２＋イオン濃度をコントロールし、これにより洗浄対象物１の母材金属の腐食を抑制できることができる。
【００５１】
第２実施形態（図２）
図２は本発明の第２実施形態を示す系統構成図である。
【００５２】
本実施形態は、複数系統の炭素鋼配管または低合金鋼配管を、洗浄液循環配管と選択的に連通可能としたものであり、化学洗浄対象物が原子炉一次系統である原子炉冷却材再循環系の一部とした場合の化学洗浄を行なう場合に適用したものである。
【００５３】
具体的に説明すると、図２に示すように、本実施形態の化学洗浄装置においては、洗浄対象物１が原子炉冷却材再循環系配管２５の内表面であり、洗浄範囲は原子炉冷却材再循環系配管２５に設けた１対の弁２６，２７間の領域である。そこで、本実施形態では第１実施形態における化学洗浄タンク２に代えて洗浄液を収容するサージタンク２８を設ける一方、原子炉冷却材再循環系配管２５の弁２６，２７間領域が洗浄液循環系４の一部となるように洗浄液循環配管５を接続した構成とされている。
【００５４】
また、本実施形態では第１実施形態と異なり、イオン交換樹脂塔８および化学薬品注入装置１２がサージタンク２８に独立系として接続され、それぞれ系統配管２９，３０に補助ポンプ３１，３２を有する構成とされている。さらに、洗浄液循環配管５のオゾン発生器９（９ａ）の他、オゾンによる洗浄効果を高めるための別系統のオゾン注入系３３がサージタンク２８に接続されている。このオゾン注入系３３は、独立ループ状の系統配管３４にオゾン発生器９（９ｂ）およびミキシングポンプ３５を設けた構成とされている。また、洗浄液循環配管５には、化学洗浄液としてのシュウ酸の分解に使用する紫外線照射装置３６が設置されている。その他の構成については、第１実施形態とほぼ同様であるから、図２の対応部分に図１と同一の符号を付して説明を省略する。
【００５５】
このような構成のもとで、本実施形態では、洗浄液循環配管５の一部に設ける腐食抑制用ライン２１として、循環ポンプ６の上流側部位に複数系統、例えば３系統の炭素鋼配管または低合金鋼配管からなる補助配管２３が、分岐管２２を介して並列に接続されている。各補助配管２３の両端部にはそれぞれ隔離弁２４が設けられている。そして、各隔離弁２４の所定のものを開として、選択された補助配管２３内に洗浄液３を流動させることにより、補助配管２３を構成する炭素鋼または低合金鋼が洗浄液２に接触可能とされている。
【００５６】
洗浄時においては、第１実施形態と同様の作用に加えて、洗浄液循環配管５の一部に洗浄液３の受けタンクとして設置されたサージタンク２８中のオゾン濃度維持方法として、独立のオゾン注入系３３が使用される。即ち、サージタンク２８内の洗浄液３が補助ポンプ３５を用いて系統配管３４に循環され、その系統配管３４を介してサージタンク２８にオゾン発生器９ｂからミキシングポンプ１９を用いてオゾンが注入される。また、化学薬品（シュウ酸）の分解のために、紫外線照射装置３６が適用される。この場合、洗浄液３がサージタンク２８から洗浄液循環配管５に流出する際に、洗浄液３中のシュウ酸は、洗浄液循環配管５に設けられた紫外線照射装置３６において紫外光照射を受け、ＣＯ２ガスと水とに分解されて、浄化される。
【００５７】
そして、本実施形態においても一連の洗浄操作中に、イオン交換樹脂塔８にて洗浄液３から過剰の鉄を除去する事態が起こり得る。このような事態が継続すると、洗浄対象物１の母材浸食に至る可能性があるので、第１実施形態と同様に、洗浄液配管５に接続した分岐管２２の隔離弁２４を開け、炭素鋼または低合金鋼製の補助配管２３に洗浄液を通液する。
【００５８】
これにより、ステンレス鋼よりも耐食性に劣る炭素鋼や低合金鋼製の補助配管２３の母材金属からＦｅ２＋イオンの溶解が促進されるが、本実施形態の場合には、炭素鋼または低合金鋼製の補助配管２３を並列的に複数設けてあるため、各補助配管２３を例えば単一、または複数組合せた状態等、任意に選択してそれぞれの系統を隔離可能とすることができる。例えば、化学洗浄中に鉄濃度が不足した場合に炭素鋼隔離弁２１を順次に開き、補助配管２３に化学洗浄液３を通液する。鉄濃度が低く、１系統の補助配管２３への通液では鉄濃度を上げるために時間を要する場合には、更にもう１系統の補助配管２３への通液を開始することにより、化学洗浄液中における母材金属の腐食域での接触時間を短縮し、母材腐食を抑制することが可能となる。
【００５９】
したがって、本実施形態によれば、化学洗浄中のＦｅ２＋イオン濃度状況により、不足分のＦｅ２＋イオンを補充するために要する時間を、炭素鋼または低合金鋼の補助配管２３のラインの通液本数の設定により、任意に調整することができ、化学洗浄中の鉄濃度の状況に応じた最適な炭素鋼または低合金鋼の母材金属溶出によるＦｅ３＋イオン濃度とＦｅ２＋イオン濃度のコントロールが行なえる。
【００６０】
第３実施形態（図３）
図３は本発明の第３実施形態を示す系統構成図である。
【００６１】
本実施形態は、洗浄液循環系の洗浄液循環配管にステンレス鋼製の配管またはタンクを接続し、その内部に炭素鋼もしくは低合金鋼製の板材、管材またはブロック材を収容し、これらの板材、管材またはブロック材を洗浄液に接触可能とした腐食抑制用ラインを設けたものである。
【００６２】
具体的に説明すると、図３に示すように、本実施形態の化学洗浄装置は基本的な系統構成について第１実施形態と同様である。即ち、ステンレス鋼等の鉄系金属からなる洗浄対象物１を化学洗浄タンク２に収容し、この化学洗浄タンク２に洗浄液３を循環する洗浄液循環系４を形成している。洗浄液循環系４は、化学洗浄タンク２に閉ループ状に接続された洗浄液循環配管５を有し、この洗浄配管５には洗浄液３の流れ方向に沿って順次に、循環ポンプ６、ヒータ７、イオン交換樹脂塔８、オゾン発生器９のミキサ１０、過酸化水素注入装置１１、化学薬品（シュウ酸）注入装置１２等が設けられ、これにより化学薬品を含む洗浄液３が化学洗浄タンク２に循環するようになっている。
【００６３】
このような構成において、本実施形態では、洗浄液循環配管５のヒータ７下流部位に腐食抑制用ライン２１が設けられている。この腐食制御用ライン２１は、ステンレス鋼製のタンク３７の内部に炭素鋼もしくは低合金鋼製の板材、管材またはブロック材等からなる廃材３８を収容し、この廃材３８を洗浄液に接触可能とした構成とされている。すなわち、タンク３７の上部に例えば散液管３９が設けられ、この散液管３９には洗浄液循環配管５から分岐した液導入管４０が接続され、散液管３９からタンク３７内に洗浄液５が散布できるようになっている。液導入管４０には、隔離弁４１が設けられている。また、タンク３７の底部には液送出管４２が設けられ、この液送出管４２にはポンプ４３および隔離弁４４が設けられ、液送出管４２の先端は洗浄液循環配管５に接続されている。これにより、タンク３７内に収容した板材、管材またはブロック材等の廃材３８は、導入される洗浄液に接触可能とされ、接触後の洗浄液は洗浄液循環配管５に戻されるようになっている。
【００６４】
なお、他の構成部分については第１実施形態のものとほぼ同様であるから、共通部分について図３に図１と同一の符号を付して説明を省略する。
【００６５】
本実施形態においては、洗浄液循環配管５から隔離弁４１，４４にて隔離されたステンレス鋼製のタンク３７の内部に炭素鋼板または炭素鋼等の廃材３８を設置し、鉄イオン濃度が足りない場合には隔離弁４１，４４を開にし、タンク３７に洗浄液５を通液させて鉄イオンを溶解させる。内部に設置する炭素鋼等の廃材３８はタンク３７に収まる大きさであれば、どのような形状でも問題は無い。
【００６６】
本実施形態によれば、小さな形状の炭素鋼廃材３８を数点設置することにより、洗浄液５との接液面積が大きくなり、炭素鋼の母材金属の溶解が促進されるため、鉄濃度コントロールに要する時間を短縮することができる。
【００６７】
また、洗浄液循環配管５またはタンク３８の中に、母材溶出を目的に設置する炭素鋼や低合金鋼として、板、配管、ブロックの形状が不揃いな品や廃材３８等を設置することにより、炭素鋼材の補給が容易になる。なお、本実施形態ではタンク３７を設置したが、タンク３７に代えて廃材を収容し得る配管とすることも可能である。
【００６８】
第４実施形態（図４）
図４は本発明の第４実施形態を示す系統構成図である。
【００６９】
本実施形態は腐食抑制用ラインは、洗浄液循環系の洗浄液循環配管にＦｅ（ＩＩ）酸化物もしくはＦｅ（ＩＩ）Ｆｅ（ＩＩＩ）酸化物が溶解した液を注入する酸化物溶解液注入ラインを設けたものである。
【００７０】
具体的に説明すると、図４に示すように、本実施形態の化学洗浄装置も基本的な系統構成について第１実施形態と同様である。即ち、ステンレス鋼等の鉄系金属からなる洗浄対象物１を化学洗浄タンク２に収容し、この化学洗浄タンク２に洗浄液３を循環する洗浄液循環系４を形成している。洗浄液循環系４は、化学洗浄タンク２に閉ループ状に接続された洗浄液循環配管５を有し、この洗浄配管５には洗浄液３の流れ方向に沿って順次に、循環ポンプ６、ヒータ７、イオン交換樹脂塔８、オゾン発生器９のミキサ１０、過酸化水素注入装置１１、化学薬品（シュウ酸）注入装置１２等が設けられ、これにより化学薬品を含む洗浄液３が化学洗浄タンク２に循環するようになっている。
【００７１】
このような構成において、本実施形態では、洗浄液循環配管５に腐食抑制用ライン２１が設けられている。この腐食制御用ライン２１は、図４に示すように、オゾン注入用のミキサ１０の下流側に鉄酸化物注入装置として、鉄酸化物溶解槽４５を設置し、その内部に投込ヒー４６と攪拌棒４７が設置されている。鉄酸化物溶解槽４５の底部には注入管４８が設けられ、この注入管４８には補助ポンプ４８ａおよび隔離弁５０が設けられ、注入管４８の先端が洗浄液循環配管５に接続されている。
【００７２】
そして、洗浄液循環系４内の洗浄液３の鉄濃度が不足した場合には、隔離弁５０を開き、補助ポンプ４８ａを稼動して、鉄酸化物溶解槽４５で鉄酸化物溶解により生成した鉄イオンを洗浄液循環配管５内に投入する。これにより、鉄酸化物の溶解を促進させる。
【００７３】
本実施形態によれば、事前に鉄酸化物を溶解し、鉄イオン溶液としておくことで、瞬時に鉄イオン濃度を必要濃度に維持することができる。また、溶解する鉄酸化物の形態により、ヘマタイトであればＦｅ３＋イオンが主となり、マグネタイトであればＦｅ３＋イオンとＦｅ３＋イオンが２：１の割合で生成させることが可能である。つまり、鉄酸化物を溶解した液を注入するラインを構成することにより、化学洗浄実施中に必要最低限の鉄のみを容易に注入することが可能となる。
【００７４】
第５実施形態（図５）
図５は本発明の第５実施形態を示す系統構成図である。
【００７５】
本実施形態は、洗浄液循環系の洗浄液循環配管または他の配管内にＦｅ（ＩＩ）酸化物もしくはＦｅ（ＩＩ）Ｆｅ（ＩＩＩ）酸化物を付着させたフィルタを設置し、このフィルタに前記洗浄液を通過可能としたものである。
【００７６】
具体的に説明すると、図５に示すように、本実施形態の化学洗浄装置も基本的な系統構成について第１実施形態と同様である。即ち、ステンレス鋼等の鉄系金属からなる洗浄対象物１を化学洗浄タンク２に収容し、この化学洗浄タンク２に洗浄液３を循環する洗浄液循環系４を形成している。洗浄液循環系４は、化学洗浄タンク２に閉ループ状に接続された洗浄液循環配管５を有し、この洗浄配管５には洗浄液３の流れ方向に沿って順次に、循環ポンプ６、ヒータ７、イオン交換樹脂塔８、オゾン発生器９のミキサ１０、過酸化水素注入装置１１、化学薬品（シュウ酸）注入装置１２等が設けられ、これにより化学薬品を含む洗浄液３が化学洗浄タンク２に循環するようになっている。
【００７７】
このような構成において、本実施形態では、洗浄液循環配管５に腐食抑制用ライン２１が設けられている。この腐食制御用ライン２１は、図５に示すように、洗浄液循環配管５のオゾン注入用ミキサ１０下流側に設けたバイパス管４９に隔離弁５０により隔離された鉄酸化物付着フィルタ５１を設置した構成としてある。
【００７８】
そして、洗浄液循環配管５内の鉄濃度が不足した場合には、隔離弁５０を開き、鉄酸化物付着フィルタ５１に洗浄液５を通液することにより、鉄酸化物を系統内に溶出させ、これにより鉄イオン濃度を上げることができる。
【００７９】
本実施形態によれば、バイパス管４９に化学洗浄前に酸化鉄を付着させた鉄酸化物付着フィルタ５１を設置することにより、化学洗浄中に鉄イオン濃度不足が生じた際に、洗浄液５を鉄酸化物付着フィルタ５１に通液することにより、補足されていた酸化鉄を溶出させて鉄イオンを洗浄液５に補充することが可能となる。したがって、炭素鋼や低合金鋼の溶解による鉄イオン生成よりも早く鉄濃度を目的濃度に保持することができる。また、第４の実施の形態でも記載したとおり、フィルタに付着させるクラッドの形態を替えることにより、溶出する鉄イオン主も変化させることができる。
【００８０】
第６実施形態（図６）
図６は本発明の第６実施形態を示す系統構成図である。
【００８１】
本実施形態は、洗浄液循環系の洗浄液循環配管にバイパス配管を介して電界槽を接続し、この電界槽の陽極または陰極に炭素鋼または低合金鋼を適用して、これら陽極または陰極を前記洗浄液に接触可能としたものである。
【００８２】
具体的に説明すると、図６に示すように、本実施形態の化学洗浄装置も基本的な系統構成について第１実施形態と同様である。即ち、ステンレス鋼等の鉄系金属からなる洗浄対象物１を化学洗浄タンク２に収容し、この化学洗浄タンク２に洗浄液３を循環する洗浄液循環系４を形成している。洗浄液循環系４は、化学洗浄タンク２に閉ループ状に接続された洗浄液循環配管５を有し、この洗浄配管５には洗浄液３の流れ方向に沿って順次に、循環ポンプ６、ヒータ７、イオン交換樹脂塔８、オゾン発生器９のミキサ１０、過酸化水素注入装置１１、化学薬品（シュウ酸）注入装置１２等が設けられ、これにより化学薬品を含む洗浄液３が化学洗浄タンク２に循環するようになっている。
【００８３】
このような構成において、本実施形態では、洗浄液循環配管５に腐食抑制用ライン２１が設けられている。この腐食制御用ライン２１は、図６に示すように、洗浄液循環配管５のオゾン注入用ミキサ１０下流側に設けたバイパス管５２に隔離弁５３により隔離された電解槽５４を設け、この電解槽５４の陽極５５に炭素鋼を接続し、陰極５６に白金を接続した構成としてある。
【００８４】
このように、洗浄液循環配管５のバイパス管５２に隔離弁５３により隔離された電解槽５４を設置し、陽極５５に炭素鋼、陰極５６に白金を設置することにより、系統内の鉄濃度が不足した場合には、隔離弁５３を開き、電解槽５４に化学洗浄液を通水することにより、陽極５５の炭素鋼から鉄イオンが積極的に溶け出し、鉄濃度を目的濃度に保持することができる。また、陽極５５と陰極５６とを入れ替えることにより、系統内に鉄濃度が高過ぎる場合には鉄を電極に付着させて系統内から隔離することができる。即ち、洗浄中に炭素鋼を電極に使用した電解槽を設置することにより、炭素鋼からのＦｅ２＋イオンの溶出を促進させることができ、鉄イオンを化学洗浄液に補充することが可能となる。
【００８５】
本実施形態によれば、洗浄中に炭素鋼を電極に使用した電解槽を設置することにより、陰極と陽極を交換することにより、化学洗浄液中に過剰に溶解した鉄イオンを補足し、イオン交換樹脂の負荷を軽減することが可能となる。
【００８６】
実施形態の効果（図７）
図７は、上述した本発明の実施形態において、化学洗浄液としてシュウ酸を用いた場合における、炭素鋼腐食量のＦｅ２＋イオン濃度依存性を示す特性図である。縦軸に炭素鋼腐食量を示し、横軸に洗浄時間を示してある。
【００８７】
この図７に示したように、シュウ酸を用いた場合における炭素鋼腐食量は、溶液中にＦｅ２＋イオン濃度が低い場合には増加し、Ｆｅ２＋イオン濃度が高い場合には減少する。このため、化学洗浄中にＦｅ２＋イオン濃度が不足した場合には、炭素鋼に化学洗浄液を接触させることにより、母材が腐食、即ち、洗浄系統中に鉄が溶出されることが分かる。
【００８８】
また、図７より、系統中にＦｅ２＋イオン濃度が十分保持されていれば、洗浄対象物の母材金属の腐食を抑制できることが判るまた、洗浄対象物の母材腐食抑制や除却対処物洗浄時の鉄イオン濃度コントロールによる積極的な母材研磨を実施することができ、化学洗浄効果を高めることが確認できる。
【００８９】
【発明の効果】
以上のように、本発明によれば、化学洗浄中に必要最低限の鉄濃度が維持できなくなった場合、鉄イオンを溶出させ、または系統内の鉄イオン濃度を上げることにより、適切な鉄濃度を維持しながら化学洗浄を実施することができ、また、洗浄対象物の母材腐食抑制や除却対処物洗浄時の鉄イオン濃度コントロールによる積極的な母材研磨を実施することができ、化学洗浄効果を高めることも可能となる。
【図面の簡単な説明】
【図１】本発明の第１実施形態による化学洗浄装置を示す系統構成図。
【図２】本発明の第２実施形態による化学洗浄装置を示す系統構成図。
【図３】本発明の第３実施形態による化学洗浄装置を示す系統構成図。
【図４】本発明の第４実施形態による化学洗浄装置を示す系統構成図。
【図５】本発明の第５実施形態による化学洗浄装置を示す系統構成図。
【図６】本発明の第６実施形態による化学洗浄装置を示す系統構成図。
【図７】前記実施形態による化学洗浄装置について、シュウ酸溶液中における炭素鋼腐食におけるＦｅ２＋イオン濃度依存性を示す特性図。
【符号の説明】
１  洗浄対象物
２  化学洗浄タンク
３  洗浄液
４  洗浄液循環系
５  洗浄液循環配管
６  循環ポンプ
７  ヒータ
８  イオン交換樹脂塔
９  オゾン発生器
１０  ミキサ
１１  過酸化水素注入装置
１２  化学薬品（シュウ酸）注入装置
１３  溶存オゾン濃度計
１４  排気系
１５  排気管
１６  エアフィンクーラ
１７  フィルタ
１８  オゾン分解塔
１９  排気用ファン装置
２０  気相オゾン濃度計
２１  腐食抑制用ライン
２２  分岐管
２３  補助配管
２４  隔離弁
２５  原子炉冷却材再循環系配管
２６，２７  弁
２８  サージタンク
２９，３０  系統配管
３１，３２  補助ポンプ
３３  オゾン注入系
３４  系統配管
３５  ミキシングポンプ
３６  紫外線照射装置
３７  タンク
３８  廃材
３９  散液管
４０  液導入管
４１  隔離弁
４２  液送出管
４３  ポンプ
４４  隔離弁
４５  鉄酸化物溶解槽
４６  投込ヒータ
４７  攪拌棒
４８  注入管
４８ａ  補助ポンプ
４９  バイパス管
５０  隔離弁
５１  鉄酸化物付着フィルタ
５２  バイパス管
５３  隔離弁
５４  電解槽
５５  陽極
５６  陰極
【図１】
0004309596.tif 000004
【図２】
0004309596.tif 000005
【図３】
0004309596.tif 000006
【図４】
0004309596.tif 000007
【図５】
0004309596.tif 000008
【図６】
0004309596.tif 000009
【図７】
0004309596.tif 000010